(57)【特許請求の範囲】
【請求項１】
撮影機構が組み付けられるとともに写真フイルムを収納する本体基部と、この本体基部の前後を覆うように被せられる前カバー及び後カバーとを備え、本体基部及び前カバーの各々の壁面に一体に形成された一対の係合突起と係止穴とを係合させることによって本体基部と前カバーとを結合するレンズ付きフイルムユニットにおいて、
前記前カバー及び前記後カバーは、互いの端縁を近接させて前記本体基部を覆っており、
前記係止穴に近接する前記前カバーの端縁には、内壁側の角部を面取りして前記本体基部と前記前カバーの間に隙間を有する薄肉部が形成されており、
前記薄肉部と対向する前記後カバーの端縁部には、前記隙間を露呈させ、かつ前記係合突起及び前記係合穴の係合を解除する治具の先端を前記隙間に進入可能な傾斜面または切り欠きが形成されていることを特徴とするレンズ付きフイルムユニット。
【発明の詳細な説明】
【０００１】
【発明の属する技術分野】
本発明は、本体基部の前後に前カバーと後カバーとを被せたレンズ付きフイルムユニットに関するものである。
【０００２】
【従来の技術】
いつでも手軽に写真撮影を楽しむことができるように、簡単な撮影機構を備えたユニット本体に予めパトローネ付きの写真フイルムを内蔵させたレンズ付きフイルムユニットが本出願人により製造販売されている。このレンズ付きフイルムユニットは、購入したその場ですぐに写真撮影ができ、また撮影後にもそのまま現像取扱店に出せばよいという簡便性から、一般に広く利用されている。
【０００３】
このようなレンズ付きフイルムユニットでは、低価格化を実現するために構造が非常に簡略化されている。ユニット本体は、基本的に、撮影機構を取り付けるとともに写真フイルムを収納する本体基部と、この前後から被せられる前カバー及び後カバーとから構成されている。前カバーは、本体基部の前面，上面，及び左右側面を覆い、本体基部との間で撮影機構を挟持する。このため本体基部と前カバーとは、各々の壁面に一体に形成された一対の係合突起と係止穴とを結合させることで強固に連結されており、前カバーの壁面を撓ませない限りこれらの結合が解除されることがないようになっている。また後カバーは、本体基部の背面と底面とを覆うようにＬ字型に構成され、本体基部との間で写真フイルムを光密に収納する。後カバーと本体基部とは、後カバー側に設けられた係止爪によって爪結合される。
【０００４】
一方、資源節約を図り、産業廃棄物を減らすために、レンズ付きフイルムユニットの再利用が積極的に進められている。ユーザーが撮影済の写真フイルムを収納したレンズ付きフイルムユニットを現像取扱店に持っていくと、このレンズ付きフイルムユニットは更に現像所に集められる。現像所では、レンズ付きフイルムユニットに設けられたフイルム取出し用の蓋を開き、写真フイルムだけを取り出してフイルム現像及びプリント処理を行う。そして、プリント写真と現像済みのフイルムとを現像取扱店を介してユーザーに返却する。
【０００５】
写真フイルムが取り出された後のレンズ付きフイルムユニットはメーカーによって回収され、ここでユニット本体が部品ごとに分解される。そして、部品として再使用可能なものは製造工程に供給され、そのまま製品の一部として用いられる。また、ユニット本体の構成部品の多くはプラスチック成形品であるため、部品として使用できないものはペレット化して再溶融され、原材料としてリサイクル利用される。
【０００６】
【発明が解決しようとする課題】
しかしながら、本体基部と前カバーとを結合している一対の係合突起及び係止穴は、本体基部及び前カバーの各々の壁面に一体に形成されているので、これらが係止されているときには、本体基部と前カバーとは隙間なく密着している。このため、本体基部から前カバーを取り外す際には、平板状の治具の先端を本体基部の外壁面と前カバーの内壁面との間に強制的に挿入した後、前カバーを外側に押し広げる動作が必要になり、治具の動きが複雑になって分解適性に難があった。
【０００７】
本発明は上記の事情を考慮してなされたもので、前カバーの取り外しを効率的に行うことができるレンズ付きフイルムユニットを提供することを目的とする。
【０００８】
【課題を解決するための手段】
上記目的を達成するために、本発明のレンズ付きフイルムユニットは、前カバー及び後カバーは、互いの端縁を近接させて本体基部を覆っており、係止穴に近接する前カバーの端縁には、内壁側の角部を面取りして本体基部と前カバーの間に隙間を有する薄肉部が形成されており、薄肉部と対向する後カバーの端縁部には、隙間を露呈させ、かつ係合突起及び係合穴の係合を解除する治具の先端を隙間に進入可能な傾斜面または切り欠きが形成されているものである。
【０００９】
【発明の実施の形態】
図３は、レンズ付きフイルムユニットの外観を示すものである。ユニット本体１１は主にプラスチック成形され、中央部に外装用のラベル２０が巻き付けられている。ユニット本体１１には、前面に撮影レンズ１２，ファインダ対物窓１３，ストロボ発光窓１４，及びストロボ充電スイッチ１５が、また上面にはシャッターボタン１６，巻上げノブ１７，及びカウンタ窓１８が、さらに背面にはファインダ接眼窓１９がそれぞれ設けられている。ラベル２０はレンズ付きフイルムユニット１０の外観を綺麗にするためのもので、表面に化粧用の印刷が施されている。ラベル２０の所要部には、ユニット本体１１に設けられた撮影レンズ１２，ファインダ対物窓１３，カウンタ窓１８，及びファインダ接眼窓１９を外部に露呈させるための開口が設けられており、このラベル２０をユニット本体１１に巻き付けたままの状態で撮影操作ができるようになっている。
【００１０】
ユニット本体１１は、図４に分解して示したように、本体基部２１と、その上面，前面，及び左右側面を覆うように被せられる前カバー２２と、本体基部２１の背面及び底面を覆うように被せられる後カバー２３とから構成されている。前カバー２２にはファインダ対物窓１３，ストロボ発光窓１４，ストロボ充電スイッチ１５，及びシャッターボタン１６が、また後カバー２３にはファインダ接眼窓１９がそれぞれ形成されている。本体基部２１の前面には、シャッターベース２５ａ上に撮影レンズ１２，ファインダ光学系，フイルムコマ止め機構，及びシャッター機構等を組み付けてユニット化した露光ユニット２５が中央部に、またストロボユニット２６が上方部に取り付けられ、前カバー２２と後カバー２３とで挟持される。そして、露光ユニット２５に組み付けられた撮影レンズ１２，ファインダ対物レンズ２７ａ，及びファインダ接眼レンズ２７ｂの各々が、前カバー２２及び後カバー２３に形成された開口２８，ファインダ対物窓１３，及びファインダ接眼窓１９から露呈される。また、ストロボユニット２６に組み付けられたストロボ発光部２９は、前カバー２２に形成されたストロボ発光窓１４から露呈される。
【００１１】
本体基部２１には、その両側部にパトローネ室３１とフイルムロール室３２とが一体に形成されている。パトローネ室３１にはパトローネ本体３３を、またフイルムロール室３２には未露光の写真フイルム３４をパトローネ本体３３から全て引き出した状態でロール状にして収納する。パトローネ室３１とフイルムロール室３２との間には、写真フイルム３４の露光範囲を規定するためのアパーチャー３５が形成され、この前面に露光ユニット２５が組み付けられる。そして、写真フイルム３４を１コマ分ずつパトローネ本体３３内に巻き込みながら撮影が行われる。
【００１２】
パトローネ室３１及びフイルムロール室３２の底部は、いずれも開口となっており、後カバー２３の底面側に一体に設けられたプルトップ式の底蓋３６，３７によってそれぞれ塞がれる。なお、底蓋３６は、露光済みの写真フイルム３４が巻き込まれたパトローネ本体３３をパトローネ室３１から取り出すときの取出し蓋となる。なお、符号３８ａ〜３８ｃは係止爪を表しており、これらの係止爪３８ａ〜３８ｃによって本体基部２１と後カバー２３とが爪結合される。
【００１３】
図１に拡大して示したように、本体基部２１のパトローネ室３１側の側面部には係合突起４１ａ，４１ｂが設けられており、本体基部２１に前カバー２２を被せたときに、前カバー２２に形成された係止穴４２ａ，４２ｂ内に入り込む。前カバー２２には、係止穴４２ａ，４２ｂの各々と近接する端縁に、内壁側の角部の一部を面取りしてなる薄肉部４３ａ，４３ｂが形成されている。また後カバー２３には、前カバー２２に形成された薄肉部４３ａ，４３ｂと対向する端縁に、後カバー２３の厚みを変化させる傾斜面４４ａ，４４ｂが外壁側に形成されている。図２（Ａ）に示すように、本体基部２１に前カバー２２及び後カバー２３を被せると、本体基部２１の外壁面と前カバー２２の内壁面との間には、前カバー２２に形成された薄肉部４３ａによって隙間４５が形成される。この隙間４５は、後カバー２３に形成された傾斜面４４ａによって外部に露呈される。
【００１４】
なお、本体基部２１のフイルムロール室３２側の側面部にも図示しない２つの係合突起が設けられており、前カバー２２に形成された係止穴（図示せず）と係合する。また、前カバー２２の係止穴の近傍には、上記係止穴４２ａ，４２ｂの近傍と同様に、前カバー２２側に薄肉部が、また後カバー２３側には傾斜面がそれぞれ形成されている。
【００１５】
レンズ付きフイルムユニット１０を用いて写真フイルム３４の全コマに撮影を行い、巻き上げノブ１７を回動操作すると、写真フイルム３４の全てがパトローネ本体３３に巻き込まれる。そして、ユーザーが使用済みレンズ付きフイルムユニット１０を現像取扱店に持っていき、ＤＰＥを依頼すると、このレンズ付きフイルムユニット１０は、更に現像所に集められる。現像所では、レンズ付きフイルムユニット１０の底部に設けられた底蓋３６を開き、撮影済みの写真フイルム３４が巻き込まれたパトローネ本体３３を取り出してフイルム現像及びプリント処理を行う。そして現像取扱店を介して、プリント写真と現像済みのフイルムとがユーザーに返却される。
【００１６】
一方、パトローネ本体３３が取り出された後のレンズ付きフイルムユニット１０はメーカーによって回収され、再利用のための分解工程に回される。分解工程ではラベル２０が剥がされ、この後ユニット本体１１が図４に示したように分解される。
【００１７】
ユニット本体１１の分解工程では、まず前カバー２２の取り外しが行われる。この際、本体基部２１と前カバー２２との間には隙間４５が形成され、しかもこの隙間４５が外部に露呈されているので、図２（Ｂ）に示すように、前カバー分離用の治具、例えばヘラ４８を傾斜面４４ａの傾斜に沿って移動させれば、ヘラ４８の先端４８ａは自ずと隙間４５内に侵入する。そして、このままヘラ４８の後端４８ｂを本体基部２１側に押し付ければ、先端４８ａが薄肉部４３ａを押圧して前カバー２２の壁面を外側に押し広げ、係合突起４１ａと係止穴４２ａとの係合が解除される。なお、係合突起４１ｂと係止穴４２ｂとによる係合部や、フイルムロール室３２側に設けた図示しない２つの係合部も、上記と同様にして容易に解除できる。これにより、前カバー２２を本体基部２１から容易に取り外すことができる。
【００１８】
次に、本体基部２１から露光ユニット２５，ストロボユニット２６，及び巻き上げノブ１７が取り外される。そして、露光ユニット２５及びストロボユニット２６は、それぞれユニット単位で機能検査及び外観検査が行われ、再使用可能なものは組立工程に搬送されてそのまま製品の一部として用いられる。
【００１９】
この後、本体基部２１から後カバー２３が取り外される。本体基部２１は、前カバー２２と後カバー２３とにより覆われていることから、再使用できる可能性が高い。そこで、外観検査を施した後に再使用可能なものはそのまま組立工程に供給される。また、使用不可能なものは、前カバー２２及び後カバー２３とともに溶解工程に送られ、一度樹脂ペレットに戻された後に、再び成形材料として用いられる。
【００２０】
なお、上記実施形態では後カバーに傾斜面を形成する例について説明したが、本体基部と前カバーとの間に形成された隙間が外部に露呈されればよいので、図５に示す後カバー５１のように、切欠き５２を形成してもよい。この実施形態によれば、薄厚な後カバーの厚みを変化させるようにした上記第１実施形態に比較して、後カバーの成形が簡単になる。また、図６に示す後カバー５５のように、切欠き５６と傾斜面５７との両方を併せて形成してもよい。この実施形態によれば、本体基部と前カバーとの隙間の露呈面積が大きくなるので、前カバー分離用の治具の挿入操作が容易になる。
【００２１】
【発明の効果】
以上のように、本発明のレンズ付きフイルムユニットによれば、前カバー及び後カバーは、互いの端縁を近接させて本体基部を覆っており、係止穴に近接する前カバーの端縁には、内壁側の角部を面取りして本体基部と前カバーの間に隙間を有する薄肉部が形成されており、薄肉部と対向する後カバーの端縁部には、隙間を露呈させ、かつ係合突起及び係合穴の係合を解除する治具の先端を隙間に進入可能な傾斜面または切り欠きが形成されているので、前カバー分離用の治具を本体基部と前カバーとの間に容易に挿入することができる。また、前カバーの薄肉部と対向する後カバーの端縁部に、本体基部と薄肉部との間の隙間を露呈させ、治具の先端が進入可能な傾斜面または切欠きが形成されているので、分離用治具の挿入操作をより容易にすることができる。これらにより、前カバーの取り外し作業を迅速に行うことができるようになる。また、分離用治具の挿入動作が単純化されるので、人手によることなく、自動分解機を用いることが可能になり、分解工程の効率化を図ることが可能となる。
【図面の簡単な説明】
【図１】本発明を実施したユニット本体の要部拡大図である。
【図２】ユニット本体の要部断面図であり、（Ａ）は本体基部と前カバーとを結合させた状態を、（Ｂ）は前カバーの取り外し操作時の状態をそれぞれ表している。
【図３】レンズ付きフイルムユニットの外観斜視図である。
【図４】図３に示したユニット本体の分解斜視図である。
【図５】本発明の別の構成例を示す要部断面図である。
【図６】本発明の更に別の構成例を示す要部断面図である。
【符号の説明】
１０  レンズ付きフイルムユニット
１１  ユニット本体
２１  本体基部
２２  前カバー
２３，５１，５５  後カバー
４１ａ，４１ｂ  係合突起
４２ａ，４２ｂ  係止穴
４３ａ，４３ｂ  薄肉部
４４ａ，４４ｂ，５７  傾斜面
４５  隙間
５２，５６  切欠き
【図１】
0003713092.tif 000002
【図２】
0003713092.tif 000003
【図３】
0003713092.tif 000004
【図４】
0003713092.tif 000005
【図５】
0003713092.tif 000006
【図６】
0003713092.tif 000007